(57)【特許請求の範囲】
【請求項１】
複数の可動レンズを備えた撮影光学系と、
ズーミング動作を行うために上記可動レンズの移動を駆動するための駆動機構と、
上記駆動機構に駆動力を与えるべく外周に手動操作可能に設けられた操作部とを有し、該操作部の動作位置と上記撮影光学系の各レンズの配置状態との対応関係が調整されるレンズ鏡胴において、
上記関係を調整する調整用外部機器を介して上記駆動機構に調整用駆動力を伝達するために上記操作部に設けられ、該外部機器との間の駆動力伝達に際して滑りを生じることなく外部機器と係合するギア形状の係合部を備え、
上記係合部に係合した上記調整用外部機器の駆動力により上記可動レンズを所定の焦点距離に設定し、該焦点距離においてフォーカス用レンズを駆動して合焦状態とし、該合焦状態での上記操作部の動作位置と上記撮影光学系の各レンズの配置状態との対応関係を記憶するようにし、
上記ギア形状の係合部は、調整終了後にカバー部材で覆われることを特徴とするレンズ鏡胴。
【請求項２】
複数の可動レンズを備えた撮影光学系と、
ズーミング動作を行うために上記可動レンズの移動を駆動するための駆動機構と、
上記駆動機構に駆動力を与えるべく外周に手動操作可能に設けられた操作部とを有し、該操作部の動作位置と上記撮影光学系の各レンズの配置状態との対応関係が調整されるレンズ鏡胴において、
上記操作部は、上記関係を調整する調整用外部機器を介して上記駆動機構に調整用駆動力を伝達するために、上記外部機器と上記操作部との間に介設され、かつ外周に該外部機器との間の駆動力伝達に際して滑りを生じることなく外部機器と係合するギア形状の係合部が設けられたアタッチメントを着脱自在に取り付けるための取り付け部を備え、
上記係合部及び上記取り付け部を介した上記調整用外部機器の駆動力により上記可動レンズを所定の焦点距離に設定し、該焦点距離においてフォーカス用レンズを駆動して合焦状態とし、該合焦状態での上記操作部の動作位置と上記撮影光学系の各レンズの配置状態との対応関係を記憶するようにし、
上記取り付け部は、調整終了後にカバー部材で覆われることを特徴とするレンズ鏡胴。
【発明の詳細な説明】
【０００１】
【発明の属する技術分野】
本発明は、レンズ鏡胴に係り、特に、焦点距離変更を手動操作で行うズームレンズのレンズ鏡胴に関する。
【０００２】
【従来の技術】
焦点距離を変更できるレンズの鏡胴では、その組み立て時に、焦点距離を変更して各レンズ群の位置を調整する工程が行われる。
【０００３】
従来の一般的なズームレンズでは、広角端および望遠端の２箇所でのみ調整すれば十分な光学性能を得ることができた。しかし、昨今ではレンズの高性能化に伴って中間焦点距離においても高い光学性能が求められるようになっており、広角端および望遠端の２箇所での調整だけでは不十分になってきている。
【０００４】
また、電動ズーム機構を備えたレンズ機構の場合は、焦点距離変更が電動で行われるので、調整設備内での制御により任意の焦点距離に精度よく設定することが可能である。しかしながら電動ズーム機構の場合には大きな電力を必要とするので、カメラシステム全体に与える制約が大きいものとなる。
【０００５】
これに対して手動操作で焦点距離変更を行うズームレンズの場合は、電動のための駆動源を必要としないので、上述のようなカメラシステムに対して何らかの制約を与えるという問題はない。
【０００６】
手動のズームレンズ鏡胴では、広角端および望遠端の２箇所で調整することはできても、中間焦点距離位置で調整を行うためには、ズーム操作環を回転させて各レンズ群を移動させることになるが、中間焦点距離の位置へ移動させるにはズーム操作環の操作トルクが非常に大きく、例えばゴムローラをズーム操作環に当接させて回転させようとしてもスリップが生じてしまい、安定した駆動ができない。そのため、手動のズームレンズ鏡胴において任意の中間焦点距離で精度良く調整することは不可能であった。
【０００７】
【発明が解決しようとする課題】
本発明は上述のごとき従来の技術的課題に鑑み、これを有効に解決すべく創案されたものである。したがって本発明の目的は、広くは、手動操作部分を有するレンズ鏡胴で、その手動操作部分に、調整に適した構造を有するレンズ鏡胴を提供することにあり、特に主眼を置くのは、任意の中間焦点距離でも精度良く調整することが可能な手動のズームレンズ鏡胴を提供することにある。
【０００８】
また、本発明の他の目的は、手動のズームレンズ鏡胴において任意の中間焦点距離で精度良く調整する方法を提供することにある。
【０００９】
【課題を解決するための手段】
本発明に係るレンズ鏡胴は、上述のごとき従来技術における課題を解決し、その目的を達成するために以下のような構成を備えている。即ち、複数の可動レンズを備えた撮影光学系と、ズーミング動作を行うために上記可動レンズの移動を駆動するための駆動機構と、上記駆動機構に駆動力を与えるべく外周に手動操作可能に設けられた操作部とを有し、該操作部の動作位置と上記撮影光学系の各レンズの配置状態との対応関係が調整されるレンズ鏡胴において、上記関係を調整する調整用外部機器を介して上記駆動機構に調整用駆動力を伝達するために上記操作部に設けられ、該外部機器との間の駆動力伝達に際して滑りを生じることなく外部機器と係合するギア形状の係合部を備え、上記係合部に係合した上記調整用外部機器の駆動力により上記可動レンズを所定の焦点距離に設定し、該焦点距離においてフォーカス用レンズを駆動して合焦状態とし、該合焦状態での上記操作部の動作位置と上記撮影光学系の各レンズの配置状態との対応関係を記憶するようにし、上記ギア形状の係合部は、調整終了後にカバー部材で覆われることを特徴とする。
【００１０】
上記係合部はギア形状であるのが好ましい。また、そのギア形状の係合部は、調整終了後にカバー部材で覆われるのが好ましい。
【００１１】
また、複数の可動レンズを備えた撮影光学系と、ズーミング動作を行うために上記可動レンズの移動を駆動するための駆動機構と、上記駆動機構に駆動力を与えるべく外周に手動操作可能に設けられた操作部とを有し、該操作部の動作位置と上記撮影光学系の各レンズの配置状態との対応関係が調整されるレンズ鏡胴において、上記操作部は、上記関係を調整する調整用外部機器を介して上記駆動機構に調整用駆動力を伝達するために、上記外部機器と上記操作部との間に介設され、かつ外周に該外部機器との間の駆動力伝達に際して滑りを生じることなく外部機器と係合するギア形状の係合部が設けられたアタッチメントを着脱自在に取り付けるための取り付け部を備え、上記係合部及び上記取り付け部を介した上記調整用外部機器の駆動力により上記可動レンズを所定の焦点距離に設定し、該焦点距離においてフォーカス用レンズを駆動して合焦状態とし、該合焦状態での上記操作部の動作位置と上記撮影光学系の各レンズの配置状態との対応関係を記憶するようにし、上記取り付け部は、調整終了後にカバー部材で覆われることを特徴とする。
【００１５】
【発明の実施の形態】
以下、本発明に係るレンズ鏡胴の実施形態について、ズームレンズ鏡胴の場合を例に添付図面を参照して説明する。図１は、ズームレンズ鏡胴を広角時の状態で示す断面図である。図において、ズームレンズ鏡胴全体は１０で示している。１１はズーム操作環であり、固定筒１２の外周側に回転可能に取り付けられている。またズーム操作環１１の外周側には、使用者がズーム操作環１１を回転させるとき、手で把持して回転力を伝えやすいように、比較的摩擦の大きいゴムリングのカバー１３が取付けられている。したがってズーム操作環１１の外周面は、ゴムリングカバー１３で覆われており、外部へ露出していない。ズーム操作環１１を回転させるとズームカム環１４も回転する。ズームカム環１４には、各レンズ群を保持するそれぞれの玉枠に対してその移動を案内する螺旋状のカム溝（図示せず）が形成されている。一方、固定筒１２には直進ガイド溝が形成されている。ズーム操作環１１を回転させるとズームカム環１４も回転し、各レンズ群の玉枠が、カム溝と直進ガイド溝とに案内されてズーミング動作として光軸方向に移動する。これらの構造は従来から採用されているものである。
【００１６】
図２は、図１に示したズームレンズ鏡胴１０の一構成例を説明するために、鏡胴をズーム操作環１１およびゴムリングカバー１３の位置で光軸直角方向に切断して示す説明図である。なお、図の簡略化のため、ズーム操作環１１、ゴムリングカバー１３および固定筒１２のみを示しており、他の構成は省略している。ズーム操作環１１の内周面には、径方向内方へ突出する凸部１４が形成されており、固定筒１２の外周面には、この凸部１４が嵌入して周方向に旋回するのを許容する凹部１５が形成されている。凸部１４が、凹部１５の図における左端側面に当接するとき、ズームレンズは望遠端にあり、凹部１５の図における右端側面に当接するとき、ズームレンズは広角端にある。ズーム操作環１１の外周面には凹凸形状部１６が設けられている。この凹凸形状部１６は、ギア形状とすることができる。
【００１７】
図３は、図２のズームレンズ鏡胴１０にゴムリングカバー１３を取り付ける前に調整を行う状態を示す説明図である。ズーム操作環１１の凹凸形状部１６には、調整設備の駆動部１７が係合ないし噛合している。駆動部１７は、ズーム操作環１１の凹凸形状部１６と係合ないし噛合する凹凸形状を外周面に有しており、調整設備の駆動源から駆動力を得て回転することにより、その駆動力をズーム操作環１１に伝達し、ズーム操作環１１を正確に回転させることができる。調整が終了した後、ズーム操作環１１の外周面にゴムリングカバー１３を取り付けることで凹凸形状部１６は覆われ、外部に露出することはない。
【００１８】
図４は、図２の構成例とは別の構成例を説明するための図である。この例では、ズーム操作環２１の外周面にアタッチメント３０を取り付けることでズーム操作環２１を正確に回転させ、調整を行う。ズーム操作環２１の内周面には、径方向内方へ突出する凸部２４が形成されており、固定筒２２の外周面には、この凸部２４が嵌入して周方向に旋回するのを許容する凹部２５が形成されている。凸部２４が、凹部２５の図における左端側面に当接するとき、ズームレンズは望遠端にあり、凹部２５の図における右端側面に当接するとき、ズームレンズは広角端にある。そしてアタッチメント３０の外周面には、凹凸形状部２６が設けられている。ズーム操作環２１の外周面には、少なくとも１箇所の位置決め凹部２７が形成されており、アタッチメント３０の内周面には、位置決め凹部２７内に嵌合する位置決め凸部２８が形成されている。これら位置決め凹部２７と位置決め凸部２８とが係合することによって、ズーム操作環２１とアタッチメント３０との位置関係が常に一定となる。
【００１９】
アタッチメント３０は、図５に示すようにヒンジ部３１によって半割り状アームが開閉できるように構成されており、各アームの先端部を突き合せてネジ３２で閉め付け固定することができる。アタッチメント３０の外周面に形成された凹凸形状部２６に、図３と同様の調整設備の駆動部が係合ないし噛合することで、アタッチメント３０を介してズーム操作環２１をを正確に回転させることができる。
【００２０】
図６は、レンズ鏡胴の調整を行う設備の概略構成を示す。被調整レンズ鏡胴を装着したカメラ４０に、チャート４１に示された像を補助光学系４２を介して取り込む。カメラ４０はフォーカス機構を駆動し、チャート４１の像が鮮明に見えたときの駆動量をカメラ内部の記憶部に記憶させる。
【００２１】
図７は、調整の一例を示すグラフ図である。同じ被写体に対しても、焦点距離が異なればフォーカス繰り出し量が異なる光学系において、一度オートフォーカスにより合焦させた後、焦点距離を変えても再度オートフォーカスすることなく合焦状態を保たせる場合の調整を示す。具体的には、焦点距離を広角端から望遠端まで変えながら、カメラ４０から１０ｍ先のチャート４１に合焦させ、それぞれの焦点距離に応じたフォーカス繰り出し量ａ，ｂ，ｃ，ｄをカメラ内に記憶させる。これらの値はレンズ個々に異なるので、この調整は全てのレンズにおいて必要である。この結果として、被写体距離１０ｍについての曲線Ｃ−１０が描かれる。この曲線Ｃ−１０を基準として被写体距離の曲線をカメラ内の演算により推定することができる。例えば、今、フォーカス用レンズがＡの位置にあるとする。カメラは、フォーカス繰り出し量と焦点距離情報から、レンズがＡの位置にあることを認識しており、被写体距離１ｍの曲線Ｃ−１上にあることもわかる。したがって、焦点距離をＡからＢの状態に変えたとき、フォーカス繰り出し量の調整量ｘも機械的に算出できる。そして、フォーカス用レンズを駆動してｘだけ移動させることで合焦状態を維持することができる。
【００２２】
図８に、調整のプロセスをフローチャートに示す。調整するレンズ鏡胴を取り付けたカメラ（被調整カメラ）を調整設備にセットし、設備側駆動部とレンズのズーム操作環を係合ないし噛合させる。次に、設備側駆動部でズーム操作環を駆動し、焦点距離を広角端にセットする。通常、広角端と望遠端は機械的なストッパーが設けてあるため、そのストッパーまで駆動する。次に、フォーカス用レンズを基準位置にリセットし、この状態でチャートに合焦させる。そして基準位置から合焦したときの位置までのフォーカス駆動量をカメラのフォーカス駆動用モータのパルス数でカメラ内に記憶させる。次に中間の焦点距離で調整を行うべく焦点距離を変更する。中間の焦点距離の位置では機械的なストッパーがないので、焦点距離位置は、調整設備側駆動部の回転角で決定される。この設定は調整設備側で行うので、繰り返し再現性は極めて良好にできる。望遠端位置まで、必要な複数の中間焦点距離位置毎に、先と同じ合焦および記憶のプロセスを繰り返し、最後に望遠端での調整を行って調整を終了する。調整終了後、設備側駆動部からレンズのズーム操作環を外し、さらにカメラを調整設備から取り外して全てのプロセスを終了する。
【００２３】
なお、上述したのは、同じ被写体であっても焦点距離が異なればフォーカス繰り出し量が異なる所謂バリフォーカル光学系を有するズームレンズ鏡胴の調整例であるが、本発明による調整は、バリフォーカル光学系に対する調整に限られるものでないことは勿論であり、種々のレンズ鏡胴に対して、各レンズ群の移動量を外部機器を介して調整する場合に有効である。
【００２４】
【発明の効果】
以上の説明から明らかなように、本発明によれば、手動により焦点距離設定するレンズにおいて、中間焦点距離でも正確な調整が可能なレンズ鏡胴を提供することができる。
【図面の簡単な説明】
【図１】  本発明に係るズームレンズ鏡胴を広角時の状態で示す断面図である。
【図２】  図１に示したズームレンズ鏡胴の一構成例を説明するために、鏡胴をズーム操作環およびゴムリングカバーの位置で光軸直角方向に切断して示す説明図である。
【図３】  図２のズームレンズ鏡胴にゴムリングカバーを取り付ける前に調整を行う状態を示す説明図である。
【図４】  図２に示したズームレンズ鏡胴の構成例とは別の構成例を説明するための図である。
【図５】  図４のアタッチメントを単体で示す図である。
【図６】  レンズ鏡胴の調整を行う設備の概略構成を示す説明図である。
【図７】  調整の一例を示すグラフ図である。
【図８】  調整のプロセスを示すフローチャートである。
【符号の説明】
１０  ズームレンズ鏡胴
１１  ズーム操作環
１２  固定筒
１３  ゴムリングカバー
１４  凸部
１５  凹部
１６  凹凸形状部
２１  ズーム操作環
２２  固定筒
２４  凸部
２５  凹部
２６  凹凸形状部
２７  位置決め凹部
２８  位置決め凸部
３０  アタッチメント
３１  ヒンジ部
３２  ネジ
４０  カメラ
４１  チャート
４２  補助光学系
【図１】
0003751212.tif 000002
【図２】
0003751212.tif 000003
【図３】
0003751212.tif 000004
【図４】
0003751212.tif 000005
【図５】
0003751212.tif 000006
【図６】
0003751212.tif 000007
【図７】
0003751212.tif 000008
【図８】
0003751212.tif 000009